(57)【特許請求の範囲】
【請求項１】
電子機器を制御する制御手段と不揮発性メモリを有した第１のモジュールと、この制御手段の指示に従い動作する第２のモジュールであり識別情報を有した第２のモジュールとを含む電子機器の製造方法であって、
上記第１のモジュールを第１の調整機と接続し、所定の電気的調整を行ない第１の調整値を設定してこの第１の調整値を上記不揮発性メモリへ記録する第１工程と、
上記第２のモジュールをサーバと通信可能な第２の調整機と接続し、所定の電気的調整を行ない第２の調整値を設定すると共に上記識別情報を読み出してこの識別情報と関連付けてこの第２の調整値を上記サーバに記録する第２工程と、
上記第１工程で調整された第１のモジュールと上記第２工程で調整された第２のモジュールとを組み合わせて電子機器を組み立てる第３工程であって、この電子機器に上記サーバから上記第２の調整値を読み出す手段を接続し、上記第２モジュールが有する識別情報を読み出すと共にこの識別情報に関連付けられた上記第２の調整値を上記サーバから読み出して、上記第１のモジュールが有する不揮発性メモリへ記録する第３工程と、
を有することを特徴とする電子機器の製造方法。
【請求項２】
請求項１に記載の製造方法で製造された電子機器において、
上記電子機器はカメラであり、
上記第１のモジュールはカメラのメイン基板であり、
上記第２のモジュールは撮影光学系を含む鏡枠モジュールである、
ことを特徴とする電子機器。
【請求項３】
請求項１に記載の製造方法で製造された電子機器において、
上記電子機器はカメラであり、
上記第１のモジュールはカメラのメイン基板であり、
上記第２のモジュールは被写体を照明する人工光源としてのストロボモジュールである、
ことを特徴とする電子機器。
【請求項４】
請求項１に記載の製造方法で製造された電子機器において、
上記電子機器はカメラであり、
上記第１のモジュールはカメラのメイン基板であり、
上記第２のモジュールは被写体距離を測定するＡＦモジュールである、
ことを特徴とする電子機器。
【発明の詳細な説明】
【０００１】
【発明の属する技術分野】
本発明は、複数のモジュールを組み合わせて電子機器を製造する電子機器の製造方法、及び、そのような製造方法で製造された電子機器に関する。
【０００２】
【従来の技術】
近年、電子機器の製造方法は、効率化、低コスト化のため様々な製造方法が提案されており、例えば、特開平７−２５４１２３号公報には、携帯電話装置とその製造方法が提案されている。
【０００３】
この公報に開示された製造方法においては、制御モジュール２０１と、無線モジュールのそれぞれに電気的に書き換え可能な不揮発性メモリを持ち、モジュール状態で調整された調整値をモジュール内部の不揮発性メモリに記憶することで、複数のモジュールの並列調整を実現している。
【０００４】
また、それぞれのモジュールでの調整値をモジュール毎に記憶しているので、モジュールの組み合わせが個々のモジュール毎の固定的なものにならないという効果がある。
【０００５】
【発明が解決しようとする課題】
しかしながら、上記公報に開示されるような構成では、電気的な調整を必要とするモジュールの数だけ不揮発性メモリが必要となり、多くのモジュールからなる電子機器に適用するにはコストがかかり過ぎるという問題点があった。
【０００６】
本発明は、上記の点に鑑みてなされたもので、安価な構成で複数モジュールの並列調整を可能とし、また電子機器を構成するモジュールの組み合わせが個々のモジュール毎の固定的なものにならない様にすることが可能な電子機器の製造方法及び電子機器を提供することを目的とする。
【０００７】
【課題を解決するための手段】
上記の目的を達成するために、本発明による電子機器の製造方法は、電子機器を制御する制御手段と不揮発性メモリを有した第１のモジュールと、この制御手段の指示に従い動作する第２のモジュールであり識別情報を有した第２のモジュールとを含む電子機器の製造方法であって、
上記第１のモジュールを第１の調整機と接続し、所定の電気的調整を行ない第１の調整値を設定してこの第１の調整値を上記不揮発性メモリへ記録する第１工程と、
上記第２のモジュールをサーバと通信可能な第２の調整機と接続し、所定の電気的調整を行ない第２の調整値を設定すると共に上記識別情報を読み出してこの識別情報と関連付けてこの第２の調整値を上記サーバに記録する第２工程と、
上記第１工程で調整された第１のモジュールと上記第２工程で調整された第２のモジュールを組み合わせて電子機器を組み立てる第３工程であって、この電子機器に上記サーバから上記第２の調整値を読み出す手段を接続し、上記第２モジュールが有する識別情報を読み出すと共にこの識別情報に関連付けられた上記第２の調整値を上記サーバから読み出して、上記第１のモジュールが有する不揮発性メモリへ記録する第３工程と、
を有することを特徴とする。
【０００８】
即ち、本発明の電子機器の製造方法によれば、電子機器を構成する第２のモジュールが有する識別情報を読み出して該第２のモジュールの第２の調整値に関連付けてサーバに記録しておき、第１のモジュール及び上記第２のモジュールを組み合わせて電子機器を組み立てる工程において、上記第２のモジュールが有する識別情報を読み出して、上記サーバに記録されたその識別情報に関連付けられた第２の調整値を読み出して上記第１のモジュールが有する不揮発性メモリに記録させるようにしている。
【０００９】
従って、第２のモジュールに不揮発性メモリを設ける必要がなくなり、安価な構成で複数モジュールの並列調整を可能とし、また電子機器を構成するモジュールの組み合わせが個々のモジュール毎の固定的なものにならない様にすることが可能となる。
【００１１】
また、上記の目的を達成するために、本発明による電子機器は、本発明による製造方法で製造された電子機器において、
上記電子機器はカメラであり、
上記第１のモジュールはカメラのメイン基板であり、
上記第２のモジュールは撮影光学系を含む鏡枠モジュールである、
ことを特徴とする。
【００１２】
また、上記の目的を達成するために、本発明による電子機器は、本発明による製造方法で製造された電子機器において、
上記電子機器はカメラであり、
上記第１のモジュールはカメラのメイン基板であり、
上記第２のモジュールは被写体を照明する人工光源としてのストロボモジュールである、
ことを特徴とする。
【００１３】
また、上記の目的を達成するために、本発明による電子機器は、本発明による製造方法で製造された電子機器において、
上記電子機器はカメラであり、
上記第１のモジュールはカメラのメイン基板であり、
上記第２のモジュールは被写体距離を測定するＡＦモジュールである、
ことを特徴とする。
【００１４】
【発明の実施の形態】
以下、本発明の一実施の形態を図面を参照して説明する。
【００１５】
図１は、本発明の一実施の形態にかかる電子機器の製造方法を説明するための図である。
【００１６】
即ち、モジュール製造工程では、上記第２のモジュールとしての第１及び第２モジュール１０１，１０２と、上記第１のモジュールとしての制御モジュール２０１とが製造される。また、それらモジュールの電気的調整も行われる。
【００１７】
ここで、上記第１モジュール１０１は、第１モジュール調整機３０１によって電気的調整が行われるもので、この第１モジュール調整機３０１は、上記第１モジュール１０１が固有に持つ第１識別データ１０１Ａを読み取り、ここでの調整値とその第１識別データ１０１Ａとを関連付けて、上記外部記憶手段として調整データ記憶部４０１に記憶する。
【００１８】
また、上記第２モジュール１０２についても同様に、第２モジュール調整機３０２によって電気的調整が行われる。即ち、第２モジュール調整機３０２は、上記第２モジュール１０２が有する第２識別データ１０２Ａを読み取り、ここでの調整値とその第２識別データ１０２Ａとを関連付けて上記調整データ記憶部４０１に記憶する。
【００１９】
一方、上記制御モジュール２０１については、制御モジュール調整機５０１によって電気的調整が行われ、ここでの調整値は、当該制御モジュール２０１が有するＥＥＰＲＯＭ（電気的書き換え可能な不揮発性メモリ）２０１Ａに記憶する。
【００２０】
以上のようなモジュール製造工程で製造された各モジュール１０１，１０２，２０１は、組み合わせ工程に送られ、そこで各モジュール１０１，１０２，２０１が組み合わされることで電子機器製品となる。
【００２１】
また、この組み合わせ工程では、各モジュール１０１，１０２，２０１が組み合わされた後、モジュールデータ転送機６０１によって、上記調整データ記憶部４０１に記憶されているそれぞれのモジュール１０１，１０２の調整値を読み出し、制御モジュール２０１が有するＥＥＰＲＯＭ２０１Ａへ、同じく制御モジュール２０１が備える通信部２０１Ｂを介して書き込む。
【００２２】
この時、上記モジュールデータ転送機６０１は、上記第１及び第２モジュール１０１，１０２が有する第１及び第２識別データ１０１Ａ，１０２Ａを読み取り、この識別データを使って、それら第１及び第２モジュール１０１，１０２に関連付けされた調整値を、上記調整データ記憶部４０１から読み出すものである。
【００２３】
なお、ここでの識別データ１０１Ａ，１０２Ａとしては、例えば、バーコードなどに、モジュールを示すデータとそれぞれのモジュール毎のシリアルナンバを書き込み、各モジュールに貼り付けることで実現できる。
【００２４】
［実施例］
以上のような本発明の一実施の形態にかかる電子機器の製造方法を、カメラの製造に適用した場合を説明する。
【００２５】
図２は、カメラの各モジュールを製造するモジュール製造工程を示し、図３は、それら各モジュールを組み合わせてカメラ製品を完成する組み合わせ工程を示している。
【００２６】
即ち、図２に示すように、カメラのモジュール製造工程において、電気的調整が必要なモジュールとしては、撮影光学系を含む鏡枠モジュール１１１と、被写体を照明する人工光源としてのストロボモジュール１１２と、被写体までの距離を測定するＡＦモジュール１１３と、カメラ全体の制御を行うメイン基板モジュール２１１とがあり、それぞれの調整工程を含んでいる。
【００２７】
鏡枠モジュール調整工程では、鏡枠モジュール１１１が有する鏡枠モジュール識別データ１１１Ａの読み込みと、電気的調整とが、鏡枠モジュール調整機３１１によって行われる。ここでの調整値とは、例えば、焦点距離を可変とするためのズーミング制御に関する調整値や、合焦させるための合焦レンズ駆動に関する調整値、或いは、レンズシャッタカメラの場合ではシャッタ制御に関する調整値などに相当する。鏡枠モジュール調整機３１１は、読み込んだ鏡枠モジュール識別データ１１１Ａと上記各調整値とを関連付けて、ネットワーク回線７００を利用して、上記調整データ記憶部４０１に相当するサーバ４１１内の鏡枠モジュールデータ記憶領域４１１Ａに記憶させる。
【００２８】
同様に、ストロボモジュール調整工程では、ストロボモジュール１１２が有するストロボモジュール識別データ１１２Ａの読み込みと、電気的調整とが、ストロボモジュール調整機３１２によって行われる。ここでの調整値とは、発光エネルギーを貯えるコンデーンサへのチャージ電圧データや所定の発光光量を得るための発光時間などである。ストロボモジュール調整機３１２は、上記読み込んだストロボモジュール識別データ１１２Ａと、この各調整値とを関連付けて、上記ネットワーク回線７００を介して、上記サーバ４１１内のストロボモジュール記憶領域４１１Ｂに記憶させる。
【００２９】
また同様に、ＡＦモジュール調整工程では、ＡＦモジュール１１３が有するＡＦモジュール識別データ１１３Ａの読み込みと、電気的調整とが、ＡＦモジュール調整機３１３によって行われる。ここでの調整値としては、ＡＦモジュール１１３によって得られるデータを距離データに変換するためのデータである。ＡＦモジュール調整機３１３は、読み込んだＡＦモジュール識別データ１１３Ａと上記調整値とを関連付けて、それらを上記ネットワーク回線７００を介して上記サーバ４１１内のＡＦモジュール記憶領域４１１Ｃに記憶させる。
【００３０】
一方、メイン基板モジュール調整工程では、メイン基板モジュール調整機５１１によって電気的調整が行われる。ここでの調整値は、電源電圧を測定する機能のバラツキを吸収するための補正データや、温度を測定する機能のバラツキを吸収するための補正データが相当する。メイン基板モジュール調整機５１１は、その調整されたデータを、当該メイン基板モジュール２１１が有する上記通信手段としての通信制御部２１１Ｂを介して、該メイン基板モジュール２１１内のＥＥＰＲＯＭ２１１Ａに記憶させる。
【００３１】
こうして製造され調整された各モジュールは、図３に示すような組み合わせ工程に送られ、各モジュールを組み合わせることでカメラ８００が完成される。即ち、前述したメイン基板モジュール２１１と、鏡枠モジュール１１１，ストロボモジュール１１２，ＡＦモジュール１１３，及び図示しない電気的調整を必要としないその他のモジュールとを組み合わせることで、カメラ８００とする。
【００３２】
この組み合わせ工程では、モジュールデ一タ転送機６１１は、カメラ８００に組み込まれている鏡枠モジュール１１１の鏡枠モジュール識別データ１１１Ａを読み出して、その鏡枠モジュール識別データ１１１Ａに関連付けされた調整値を、ネットワーク回線７００を介して上記サーバ４１１内の鏡枠モジュールデータ記憶領域４１１Ａから読み出し、その読み出した調整値を、メイン基板モジュール２１１の通信制御部２１１Ｂを介してＥＥＰＲＯＭ２１１Ａに転送記憶させる。同様にして、ストロボモジュール識別データ１１２Ａ及びＡＦモジュール識別データ１１３Ａを読み出して、それぞれの識別データに関連付けされたそれぞれのモジュールの調整値をサーバ４１１内のストロボモジュール記憶領域４１１Ｂ及びＡＦモジュール記憶領域４１１Ｃから読み出し、メイン基板モジュール２１１の通信制御部２１１Ｂを介してＥＥＰＲＯＭ２１１Ａに転送する。
【００３３】
こうして、メイン基板モジュール２１１のＥＥＰＲＯＭ２１１Ａには、当該カメラ８００に組み込まれた各モジュールに対応した調整値が記憶されることになるので、実際のカメラ動作時には、当該カメラ全体の動作を制御するメイン基板モジュール２１１内に設けられたカメラ制御部２１１Ｃは、ＥＥＰＲＯＭ２１１Ａからそれら調整値を読み出して、各モジュールの制御をバラツキなく行うことができるようになる。
【００３４】
以上実施の形態に基づいて本発明を説明したが、本発明は上述した実施の形態に限定されるものではなく、本発明の要旨の範囲内で種々の変形や応用が可能である。
【００３５】
ここで、本発明の要旨をまとめると、特許請求の範囲に記載したものに加え、以下のようなものを含む。
【００３６】
（１）  電気的に書き換え可能な不揮発性記憶手段を有する第１のモジュールと、この第１のモジュールと組み合わせられる第２のモジュールとを含むカメラにおいて、
上記第１のモジュール及び上記第２のモジュールを組み立てて電子機器の全部又は一部とする製造工程の際に、
上記第１のモジュールと、上記カメラ外部に設けられ、上記各モジュールの調整値に関する情報を記憶する外部記憶手段との間で通信を行うことにより、上記外部記憶手段に記憶された調整値に関する情報を上記不揮発性記憶手段に記憶することを特徴とするカメラ。
【００３７】
（２）  上記第２のモジュールは、該モジュールを特定するための識別情報を有しており、
上記外部記憶手段は、上記モジュールの調整値に関する情報と上記識別情報とを関連付けて記憶していることを特徴とする（１）に記載のカメラ。
【００３８】
（３）  上記第２のモジュールは、撮影光学系を含む鏡枠モジュールであることを特徴とする（１）に記載のカメラ。
【００３９】
（４）  上記第２のモジュールは、ストロボモジュールであることを特徴とする（１）に記載のカメラ。
【００４０】
（５）  上記第２のモジュールは、ＡＦモジュールであることを特徴とする（１）に記載のカメラ。
【００４１】
（６）  第１形式のモジュールと
少なくとも１つ以上の第２形式のモジュールと、
上記第２形式のモジュール内部にあり、当該第２形式のモジュールを特定するための識別データを有するモジュール識別手段と、
組み合わされた第２形式のモジュールの識別データに対応する、モジュール状態で調整された調整データを、外部メモリ手段より受け取るための通信手段と、
上記第１形式のモジュールに内部にあり、上記通信手段により上記外部メモリより受け取った第２形式のモジュールに固有の調整データを記憶するための電気的書き込み可能な不揮発性メモリと、
を具備することを特徴とするカメラのためのモジュール集合体。
【００４２】
（７）  制御手段，通信手段，及び電気的書き換え可能な不揮発性メモリを持つ制御モジュールと、上記制御モジュールによって制御され、電気的書き換え可能な不揮発性メモリを持たない少なくとも１つ以上のモジュールと、からなる電子機器において、
上記電気的書き換え可能な不揮発性メモリを持たないモジュールは、そのモジュール状態で調整され、その調整値を、電子機器外部にある記憶手段に記憶し、
上記制御モジュールと上記電気的書き換え可能な不揮発性メモリを持たないモジュールとを組み合わせて電子機器とする製造工程では、上記記憶手段に記憶された調整値を、上記通信手段を介して上記電気的書き換え可能な不揮発性メモリに転送する、
ことを特徴とする電子機器の製造方法。
【００４３】
（８）  上記電気的書き換え可能な不揮発性メモリを持たないモジュールは、当該モジュールを特定するための識別データを有し、
上記調整データと上記識別データとを関連付けて、上記記憶手段に記憶することを特徴とする（７）に記載の電子機器の製造方法。
【００４４】
（９）  制御手段，通信手段，及び電気的書き換え可能な不揮発性メモリを持つ制御モジュールと、上記制御モジュールによって制御され、電気的書き換え可能な不揮発性メモリを持たない少なくとも１つ以上のモジュールとからなるカメラにおいて、
上記電気的書き換え可能な不揮発性メモリを持たないモジュールは、モジュ一ル状態で調整され、その調整値を、カメラ外部にある記憶手段に記憶し、
上記制御モジュールと上記電気的書き換え可能な不揮発性メモリを持たないモジュールとを組み合わせてカメラとする製造工程では、上記記憶手段に記憶された調整値を、上記通信手段を介して上記電気的書き換え可能な不揮発性メモリに転送する、
ことを特徴とするカメラの製造方法。
【００４５】
（１０）  上記電気的書き換え可能な不揮発性メモリを持たないモジュールは、当該モジュールを特定するための識別データを有し、
上記調整データと上記識別データとを関連付けて上記記憶手段に記憶することを特徴とする（９）に記載のカメラの製造方法。
【００４６】
（１１）  上記電気的書き換え可能な不揮発性メモリを持たないモジュールは、撮影のための光学部材を含む鏡枠モジュールであることを特徴とする（９）又は（１０）に記載のカメラの製造方法。
【００４７】
（１２）  上記電気的書き換え可能な不揮発性メモリを持たないモジュールは、被写体に光りを照射するストロボモジュールであることを特徴とする（９）又は（１０）に記載のカメラの製造方法。
【００４８】
（１３）  上記電気的書き換え可能な不揮発性メモリを持たないモジュールは、被写体までの距離を測定するＡＦモジュールであることを特徴とする（９）又は（１０）に記載のカメラの製造方法。
【００４９】
（１４）  上記識別データはバーコードであることを特徴とする（６）に記載のカメラのためのモジュール集合体、（８）に記載の電子機器の製造方法、又は（１０）乃至（１３）の何れかに記載のカメラの製造方法。
【００５０】
（１５）  複数のモジュール集合体よりなるカメラにおいて、
内部に電気的書き換え可能な不揮発性メモリを有する第１形式のモジュールと、
上記第１形式のモジュールと組み合わさって、カメラの全体又はカメラの一部を構成する第２形式のモジュールと、
組み合わされる第２形式のモジュールに対する調整データを、カメラ外部に設けられた記憶手段より受け取り、その調整データを上記第１形式のモジュール内部に設けられた電気的書き換え可能な不揮発性メモリに記憶する通信手段と、
を具備することを特徴とするカメラ。
【００５１】
（１６）  上記第２形式のモジュール内部に、個々のモジュールを識別するための識別手段を更に具備することを特徴とする（１５）に記載のカメラ。
【００５２】
【発明の効果】
以上詳述したように、本発明によれば、不揮発性メモリを有する第１のモジュール以外の第２のモジュールの識別情報と調整値を関連付けてサーバに記憶させておくことで、各第２のモジュールにＥＥＰＲＯＭなどの電気的書き換え可能な不揮発性メモリを持つことなく、モジュールの並列調整を可能とし、電子機器製品を構成するモジュールの組み合わせが個々のユニット毎の固定的なものにならない様にすることができる電子機器の製造方法及び電子機器を提供できる。
【図面の簡単な説明】
【図１】本発明の一実施の形態にかかる電子機器の製造方法を説明するための図である。
【図２】一実施の形態にかかる電子機器の製造方法をカメラの製造に適用した場合における、カメラの各モジュールを製造するモジュール製造工程を説明するための図である。
【図３】一実施の形態にかかる電子機器の製造方法をカメラの製造に適用した場合における、各モジュールを組み合わせてカメラ製品を完成する組み合わせ工程を説明するための図である。
【符号の説明】
１０１      第１モジュール
１０２      第２モジュール
１０１Ａ      第１識別データ
１０２Ａ      第２識別データ
１１１      鏡枠モジュール
１１１Ａ      鏡枠モジュール識別データ
１１２      ストロボモジュール
１１２Ａ      ストロボモジュール識別データ
１１３      ＡＦモジュール
１１３Ａ      ＡＦモジュール識別データ
２０１      制御モジュール
２０１Ａ，２１１Ａ      ＥＥＰＲＯＭ
２０１Ｂ      通信部
２１１      メイン基板モジュール
２１１Ｂ      通信制御部
２１１Ｃ      カメラ制御部
３１１      鏡枠モジュール調整機
３１２      ストロボモジュール調整機
３１３      ＡＦモジュール調整機
４０１      調整データ記憶部
４１１      サーバ
４１１Ａ      鏡枠モジュールデータ記憶領域
４１１Ｂ      ストロボモジュール記憶領域
４１１Ｃ      ＡＦモジュール記憶領域
５０１      制御モジュール調整機
５１１      メイン基板モジュール調整機
６０１      モジュールデータ転送機
６１１      モジュールデ一タ転送機
７００      ネットワーク回線
８００      カメラ
【図１】
0004363721.tif 000002
【図２】
0004363721.tif 000003
【図３】
0004363721.tif 000004